(57)【要約】【課題】パーツリストを効率よく作成することが可能なパーツリスト作成装置を提供することを目的とする。【解決手段】組立手順書を作成するとともに、組立手順書の変更内容を示す図訂データを作成する組立手順書作成編集部１１と、製品の分解図を作成する分解図作成編集部１２と、図訂データに示される変更内容が特定部品に対応する組立手順書の変更内容である場合、分解図に示される特定部品を強調表示させて、組立手順書とともにパーツリストとして出力装置４から出力させる分解図図訂編集部１３とを備えてパーツリスト作成装置１を構成する。【選択図】図１
2014153933.tif 000002
【特許請求の範囲】
【請求項１】
製品を構成する複数の部品の３次元データを用いて前記複数の部品の組立手順を示す組立手順書を作成するとともに、前記組立手順書の変更内容を示す図訂データを作成する組立手順書作成編集部と、
前記複数の部品の３次元データを用いて前記製品の分解図を作成する分解図作成編集部と、
前記図訂データに示される変更内容が特定部品の組付け順位の変更である場合、前記分解図に示される前記特定部品を強調表示させて、前記組立手順書とともにパーツリストとして出力装置から出力させる分解図図訂編集部と、
を備えることを特徴とするパーツリスト作成装置。
【請求項２】
製品を構成する複数の部品の３次元データを用いて前記複数の部品の組立手順を示す組立手順書を作成するとともに、前記組立手順書の変更内容を示す図訂データを作成する組立手順書作成編集部と、
前記複数の部品の３次元データを用いて前記製品の分解図を作成する分解図作成編集部と、
前記図訂データに示される変更内容が特定部品の組立手順の変更である場合、前記分解図に示される前記特定部品を移動させて、変更後の前記組立手順書とともにパーツリストとして出力装置から出力させる分解図図訂編集部と、
を備えることを特徴とするパーツリスト作成装置。
【請求項３】
製品を構成する複数の部品の３次元データを用いて前記複数の部品の組立手順を示す組立手順書を作成するとともに、前記組立手順書の変更内容を示す図訂データを作成する第１ステップと、
前記複数の部品の３次元データを用いて前記製品の分解図を作成する第２ステップと、
前記図訂データに示される変更内容が特定部品の組付け順位の変更である場合、前記分解図に示される前記特定部品を強調表示させて、前記組立手順書とともにパーツリストとして出力装置から出力させる第３ステップと、
をコンピュータに実行させることを特徴とするパーツリスト作成プログラム。
【請求項４】
製品を構成する複数の部品の３次元データを用いて前記複数の部品の組立手順を示す組立手順書を作成するとともに、前記組立手順書の変更内容を示す図訂データを作成する第１ステップと、
前記複数の部品の３次元データを用いて前記製品の分解図を作成する第２ステップと、
前記図訂データに示される変更内容が特定部品の組立手順の変更である場合、前記分解図に示される前記特定部品を移動させて、変更後の前記組立手順書とともにパーツリストとして出力装置から出力させる第３ステップと、
をコンピュータに実行させることを特徴とするパーツリスト作成プログラム。
【発明の詳細な説明】
【技術分野】
【０００１】
本発明は、製品の保守や修理などのサービスに用いられるパーツリストを作成するパーツリスト作成装置及びパーツリスト作成プログラムに関する。
【背景技術】
【０００２】
パーツリストに示される複数の部品のうち特定の属性情報をもつ部品の色を他の部品の色と変える技術が知られている（例えば、特許文献１参照）。例えば、特定の材質の部品の色を他の部品の色と変えることにより、製品を構成する複数の部品のうちのどの部品が特定の材質の部品であるかを、パーツリストを参照しながら製品の保守や修理などのサービスを行う作業者に対して注意喚起することができる。
【先行技術文献】
【特許文献】
【０００３】
【特許文献１】特開２００８−３１０５３５号公報
【発明の概要】
【発明が解決しようとする課題】
【０００４】
しかしながら、上述した技術は、部品の属性情報の違いをパーツリストに反映させることができるが、製品の組立手順の変更内容をパーツリストに反映させることができない。
【０００５】
そこで、製品の組立手順の変更内容をパーツリストに反映させるためには、パーツリストの作成者が製品の組立手順の変更内容に対するパーツリストの該当箇所を１つ１つ確認しながらパーツリストの内容を変えていく必要があるが、製品を構成する部品が多い場合、手作業によるパーツリスト作成作業の工数が増大してパーツリスト作成作業の効率が低下してしまう。
【０００６】
本発明は、パーツリストを効率よく作成することが可能なパーツリスト作成装置を提供することを目的とする。
【課題を解決するための手段】
【０００７】
本発明のパーツリスト作成装置は、製品の保守や修理に用いられるパーツリストを作成するパーツリスト作成装置であって、前記製品を構成する複数の部品の３次元データを用いて前記複数の部品の組立手順を示す組立手順書を作成するとともに、前記組立手順書の変更内容を示す図訂データを作成する組立手順書作成編集部と、前記複数の部品の３次元データを用いて前記製品の分解図を作成する分解図作成編集部と、前記図訂データに示される変更内容が特定部品の組立手順の変更である場合、前記分解図に示される前記特定部品を強調表示させて、前記組立手順書とともにパーツリストとして出力装置から出力させる分解図図訂編集部とを備える。
【０００８】
また、本発明のパーツリスト作成装置は、製品を構成する複数の部品の３次元データを用いて前記複数の部品の組立手順を示す組立手順書を作成するとともに、前記組立手順書の変更内容を示す図訂データを作成する組立手順書作成編集部と、前記複数の部品の３次元データを用いて前記製品の分解図を作成する分解図作成編集部と、前記図訂データに示される変更内容が特定部品の組立手順の変更である場合、前記分解図に示される前記特定部品を移動させて、変更後の前記組立手順書とともにパーツリストとして出力装置から出力させる分解図図訂編集部とを備える。
【発明の効果】
【０００９】
本発明によれば、製品の保守や修理などのサービスに用いられるパーツリストを効率よく作成することができる。
【図面の簡単な説明】
【００１０】
【図１】本実施形態のパーツリスト作成装置を示す図である。
【図２】組立手順書作成編集部のパーツリスト作成動作を示すフローチャートである。
【図３】組立手順書の一例を示す図である。
【図４】組立手順書データの一例を示す図である。
【図５】組立手順書作成編集部のパーツリスト編集動作を示すフローチャートである。
【図６】変更後の組立手順書の一例を示す図である。
【図７】変更後の組立手順書データの一例を示す図である。
【図８】図訂データの一例を示す図である。
【図９】分解図作成編集部の動作を示すフローチャートである。
【図１０】分解図の一例を示す図である。
【図１１】分解図データの一例を示す図である。
【図１２】分解図図訂編集部の動作を示すフローチャートである。
【図１３】分解図図訂編集画面の一例を示す図である。
【図１４】分解図図訂編集部の他の動作を示すフローチャートである。
【発明を実施するための形態】
【００１１】
図１は、実施形態のパーツリスト作成装置を示す図である。
【００１２】
図１に示すパーツリスト作成装置１は、組立手順書、組立手順書データ、及び図訂データを作成する組立手順書作成編集部１１と、分解図及び分解図データを作成する分解図作成編集部１２と、図訂データに示される組立手順書の変更内容を分解図に反映させる分解図図訂編集部１３とを備える。また、パーツリスト作成装置１は、製品３次元データが記憶される製品３次元データ記憶部２１と、組立手順書及び組立手順書データが記憶される組立手順書データ記憶部２２と、分解図及び分解図データが記憶される分解図データ記憶部２３と、図訂データが記憶される組立手順書図訂データ記憶部２４とを備える。また、パーツリスト作成装置１は、入力装置３（例えば、キーボードやマウスなど）及び出力装置４（ディスプレイや印刷装置など）が接続される。
【００１３】
図２は、組立手順書作成編集部１１のパーツリスト作成動作を示すフローチャートである。
【００１４】
まず、組立手順書作成編集部１１は、パーツリストの作成者が入力装置３を操作することにより製品名が入力されると（Ｓ１１がＹｅｓ）、その製品名に対応する製品３次元データ（製品を構成する全ての部品の３次元データ）を製品３次元データ記憶部２１から読み込む（Ｓ１２）。
【００１５】
次に、組立手順書作成編集部１１は、読み込んだ製品３次元データに示される全ての部品のうち、作成者が入力装置３を操作することにより選択された部品を用いて「組立手順図」を作成するとともに、選択された部品に対応する３次元データを用いて「３次元組立図」を作成し、その作成した「組立手順図」及び「３次元組立図」を「手順」として出力装置４から出力させる（Ｓ１３）。例えば、組立手順書作成編集部１１は、図３に示すように、選択された部品１〜３の組立手順を示す「組立手順図」を作成するとともに、選択された部品１〜３にそれぞれ対応する３次元データの３次元座標（ｘ、ｙ、ｚ）のある点を基準とする相対位置を視覚的に示す「３次元組立図」を作成し、それら「組立手順図」及び「３次元組立図」を「手順１」として出力装置４から出力させる。なお、図３に示す「組立手順書１」は、「手順１」を含む複数の「手順」により構成されているものとする。また、図３に示す「組立手順図」において、三角の記号は部品を示し、丸の記号は組付け作業を示している。また、図３に示す「組立手順図」や「３次元組立図」は、ビスで部品１に部品２を組み付けた後、さらにビスで部品１に部品３を組み付けることを示している。また、図３に示す「３次元組立図」では、部品２が部品１に組み付けられた後に部品３が部品１に組み付けられることを示すために、作成者の指示により部品２が部品１の組付け位置からｚ軸方向に距離ａまで移動し、部品３が部品１の組付け位置からｚ軸方向に距離ｂ（＞距離ａ）まで移動している。すなわち、部品が組付け位置から離れて配置されるほど、その部品の組付けの順番が遅くなるものとする。
【００１６】
次に、組立手順書作成編集部１１は、作成者から入力される指示により部品を組付け位置から移動させ（Ｓ１４）、その移動後の部品の３次元座標のある点を基準とする相対位置を数値で示す組立手順書データを作成し、その組立手順書データを組立手順書データ記憶部２２に記憶させる（Ｓ１５）。例えば、組立手順書作成編集部１１は、図４に示すように、版数、組立手順書名、手順名、部品名、相対位置、組付け位置、組付け順位を格納することが可能な組立手順書データを作成する。図４に示す組立手順書データの例では、版数、組立手順書名、手順名、部品名、相対位置（３次元座標のある点を基準とする移動後の部品の位置（３次元ベクトル））、組付け位置（３次元座標のある点を基準とする移動前の部品の位置（３次元ベクトル））、組付け順位として、それぞれ、「１」、「組立手順書１」、「手順１」、「部品２」、「（１０、１０、１０）」、「（１０、１０、０）」、「１」が記憶されている。また、部品３に対応する版数、組立手順書名、手順名、部品名、相対位置、組付け位置、組付け順位として、それぞれ、「１」、「組立手順書１」、「手順１」、「部品３」、「（２０、１０、２０）」、「（２０、１０、０）」、「２」が記憶されている。なお、組立手順書作成編集部１１は、組付け距離＝｜相対位置−組付け位置｜を計算し、組付け距離が小さい順に組付け順位を１から付けていく。
【００１７】
そして、組立手順書作成編集部１１は、入力された製品を構成する部品がまだ全て選択されてない場合（Ｓ１６がＮｏ）、Ｓ１３に戻り、入力された製品を構成する全ての部品が選択された場合（Ｓ１６がＹｅｓ）、パーツリスト作成動作を終了する。
【００１８】
図５は、組立手順書作成編集部１１のパーツリスト変更動作を示すフローチャートである。
まず、組立手順書作成編集部１１は、組立手順書データ記憶部２２に記憶されている組立手順書データの「相対位置」が変わった場合（Ｓ１７がＹｅｓ）、その組立手順書データの「版数」を１つ増加させ（Ｓ１８）、組立手順書データの変更内容を示す図訂データを作成する（Ｓ１９）。例えば、図６に示す「３次元組立図」では、図３に示す「３次元組立図」に対して、部品２、３の組付け順位を反対にするために、すなわち、部品３が部品１に取り付けられた後に部品２が部品１に取り付けられることを示すために、作業者の指示により部品２が部品１からｚ軸方向に距離ａまで離れた位置に移動し、部品３が部品１からｚ軸方向に距離ｂ（＜距離ａ）まで離れた位置に移動している。また、組立手順書作成編集部１１は、図７に示す組立手順書データのように、組付け順位の変更後、部品２の「相対位置」を（１０、１０、１０）から（１０、１０、２０）に変更するとともに、組付け順位の変更後、部品３の「相対位置」を（２０、１０、２０）から（２０、１０、１０）に変更する。また、組立手順書作成編集部１１は、組付け距離＝｜相対位置−組付け位置｜を計算することにより、図７に示す組立手順書データのように、部品２の「組付け順位」を１から２に変更するとともに、部品３の「組付け順位」を２から１に変更する。また、組立手順書作成編集部１１は、例えば、図８に示すように、図訂データとして、図訂番号、版数、組立手順書名、手順名、変更内容をそれぞれ記憶することが可能なデータテーブルを作成する。
【００１９】
図９は、分解図作成編集部１２の動作を示すフローチャートである。
【００２０】
まず、分解図作成編集部１２は、作成者が入力装置３を操作することにより製品名が入力されると（Ｓ２１がＹｅｓ）、その製品名に対応する製品３次元データを製品３次元データ記憶部２１から読み込む（Ｓ２２）。
【００２１】
次に、分解図作成編集部１２は、読み込んだ製品３次元データにより示される全ての部品を用いて分解図を作成して出力装置４に表示させる（Ｓ２３）。
【００２２】
そして、分解図作成編集部１２は、作成者から入力される指示により全ての部品を組付け位置から移動させ（Ｓ２４）、その移動後の全ての部品の３次元座標の基準点に対する相対位置を示す分解図データを作成する（Ｓ２５）。例えば、分解図作成編集部１２は、図１０に示すように、分解図に示される全ての部品を組付け位置から移動させるとともに、図１１に示すように、分解図データとして、分解図名、部品名、相対位置、組付け位置をそれぞれ格納することが可能なデータテーブルを作成する。
【００２３】
なお、分解図では、各部品の組付け位置から相対位置までの距離が互いに同じであったときに各部品が重ならないように、予め各部品の移動可能範囲が設定されていてもよい。
【００２４】
図１２は、分解図図訂編集部１３の動作を示すフローチャートである。
【００２５】
まず、分解図図訂編集部１３は、組立手順書図訂データ記憶部２４から図訂データを読み込み（Ｓ３１）、その図訂データの「変更内容」が「組付け順位の変更」であると判断すると（Ｓ３２がＹｅｓ）、その図訂データの「手順名」に対応する部品を特定し、その特定部品に対応する分解図の部品を強調表示させて（Ｓ３３）、組立手順書及び分解図を図訂内容とともにパーツリストとして出力装置４から出力させる（Ｓ３４）。例えば、分解図図訂編集部１３により図８に示す図訂データが読み込まれた場合、分解図図訂編集部１３は、図８に示す図訂データの「手順１」に対応する「変更内容」が「組付け順位の変更」であることを判断すると、図７に示す組立手順書データにおいて「版数」が最大値（「２」）である「組立手順書１」の「手順１」に対応する部品２、３を特定し、図１３に示す分解図図訂編集画面例のように、分解図に示される部品２、３の色を他の部品と異なる色に変え、組立手順書及び分解図を図訂内容（「組み付け順を変更」）とともに出力装置４に表示させる。なお、分解図図訂編集部１３は、特定部品に対応する「組付け順位」が「版数」の前後で変更されている場合、その特定部品に対応する分解図の部品を強調表示させるように構成してもよい。また、分解図図訂編集部１３は、特定部品に対応する「組付け位置」から「相対位置」までの距離が他の特定部品に対応する「組付け位置」から「相対位置」までの距離と「版数」の前後で逆転する場合、その特定部品に対応する分解図の部品を強調表示させるように構成してもよい。
【００２６】
そして、分解図図訂編集部１３は、次に読み込むべき図訂データがある場合（Ｓ３５がＹｅｓ）、Ｓ３１に戻って次の図訂データを読み込み、次に読み込むべき図訂データがない場合（Ｓ３５がＮｏ）、パーツリストの作成処理を終了する。
【００２７】
このように、本実施形態のパーツリスト作成装置１は、組立手順書において部品の組付けの順位が変更になった場合、分解図においてその部品を強調表示させているため、作業者が組立手順書を参照しながら組付け順位の変更を分解図に反映させる際、どの部品の組付け順位が変更になったのかを特定し易くなる。これにより、組付け順位の変更に伴う分解図の変更作業の効率を上げることができるため、パーツリストの作成作業の効率も上げることができる。
【００２８】
なお、上記実施形態では、分解図において選択された部品を強調表示させて作成者に対して分解図の変更作業を促す構成であるが、組立手順書において部品の組付け順位が変更になった場合、その組付け順位が変更になった各部品の組付け位置から相対位置までの距離を互いに入れ替えることにより、組付け順位の変更に伴う分解図の変更作業を自動的に行うようにしてもよい。
【００２９】
図１４は、組付け順位の変更に伴う分解図の変更作業を自動的に行う場合の分解図図訂編集部１３の動作を示すフローチャートである。なお、Ｓ４１〜Ｓ４４及びＳ４６〜Ｓ４７は、図１２に示すＳ３１〜Ｓ３４及びＳ３６〜Ｓ３７の処理と同一であるため説明を省略する。
【００３０】
すなわち、分解図図訂編集部１３は、図訂データの「変更内容」が「組付け順位の変更」である場合（Ｓ４４がＹｅｓ）、組付け順位が変更になった各部品の組付け位置から相対位置までの距離を互いに入れ替えて（Ｓ４５）、組立手順書及び分解図をパーツリストとして出力装置４に表示させる（Ｓ４６）。例えば、分解図図訂編集部１３は、部品２の相対位置ベクトルをａ＝（ａ１，ａ２，ａ３）、部品２の組付け位置ベクトルをｐ＝（ｐ１，ｐ２，ｐ３）、部品３の相対位置ベクトルｂ＝（ｂ１，ｂ２，ｂ３）、部品３の組付け位置ベクトルｑ＝（ｑ１，ｑ２，ｑ３）とする場合において、部品２、３の組付け位置から相対位置までの距離を互いに入れ替えた後の部品２の相対位置ベクトルをｐ＋（ｂ−ｑ）＝（ｐ１＋ｂ１−ｑ１，ｐ２＋ｂ２−ｑ２，ｐ３＋ｂ３−ｑ３）、部品３の相対位置ベクトルをｑ＋（ａ−ｐ）＝（ｑ１＋ａ１−ｐ１，ｑ２＋ａ２−ｐ２，ｑ３＋ａ３−ｐ３）とする。
【００３１】
また、本実施形態のパーツリスト作成装置１を構成するコンピュータは、例えば、中央処理装置（ＣＰＵ）、主記憶装置、記憶装置、表示装置、入力装置、ネットワークインターフェイス、及びこれらを接続する情報伝送路を備える、パーソナルコンピュータやタブレット端末などが考えられる。
【００３２】
中央処理装置は、例えば、マイクロプロセッサなどで構成され、主記憶装置に記憶されたパーツリスト作成プログラムを実行することでコンピュータを制御することにより、組立手順書作成編集部１１、分解図作成編集部１２、分解図図訂編集部１３を実現する。
【００３３】
主記憶装置は、例えば、半導体メモリなどで構成され、パーツリスト作成プログラムがアクセスするデータが格納される。
【００３４】
記憶装置は、例えば、不揮発性記憶装置などで構成され、製品３次元データ記憶部２１、組立手順書データ記憶部２２、分解図データ記憶部２３、組立手順書図訂データ記憶部２４を構成する。
【００３５】
入力装置は、例えば、キーボードやマウスなどで構成され、入力装置３を構成する。
【００３６】
表示装置は、例えば、ディスプレイなどで構成され、出力装置４を構成する。
【００３７】
ネットワークインターフェイスは、例えば、外部の端末にネットワークを介して情報を送信したり、外部の端末からネットワークを介して情報を受信したりする。
【符号の説明】
【００３８】
１  パーツリスト作成装置
３  入力装置
４  出力装置
１１  組立手順書作成編集部
１２  分解図作成編集部
１３  分解図図訂編集部
２１  製品３次元データ記憶部
２２  組立手順書データ記憶部
２３  分解図データ記憶部
２４  組立手順書図訂データ記憶部
【図１】
2014153933.tif 000003
【図２】
2014153933.tif 000004
【図３】
2014153933.tif 000005
【図５】
2014153933.tif 000006
【図６】
2014153933.tif 000007
【図９】
2014153933.tif 000008
【図１０】
2014153933.tif 000009
【図１２】
2014153933.tif 000010
【図１３】
2014153933.tif 000011
【図１４】
2014153933.tif 000012
【図４】
2014153933.tif 000013
【図７】
2014153933.tif 000014
【図８】
2014153933.tif 000015
【図１１】
2014153933.tif 000016